(57)【特許請求の範囲】
【請求項１】
本体部と、該本体部に対して出し入れ可能に連接された引き出し部とを備えるカートンであって、前記本体部は、天パネルと、該天パネルに対向して設けられた底パネルと、互いに対向して設けられた２つの側パネルと、前記引き出し部に対向して設けられた裏パネルとから形成され、前記引き出し部は、前記底パネルに連接して設けられた正面パネルと、該正面パネルに対して連接するとともに内側に折り重ねられる正面内パネルと、該正面内パネルに連接して前記底パネルの内側に設けられた第一補助パネルと、該第一補助パネルに連接して前記裏パネルの内側に設けられた第二補助パネルと、前記側パネルと内側に互いに対向して設けられた２つの側内パネルと、該側内パネルに連接するとともに端縁に切り込みを有する底内片パネルとから形成され、該底内片パネルは、前記第一補助パネルの外面で切り込み同志により係止されており、前記本体部から前記引き出し部を引き出した際に、前記第二補助パネルの先端が前記天パネルに当接して係止されることを特徴とするサイドオープンカートン。
【請求項２】
前記正面パネルと前記正面内パネルとの折れ線上に差し込み片が設けられ、前記天パネルの前辺に補助片が設けられ、該補助片と前記天パネルとの折れ線上の一部に前記差し込み片が差し込まれる差し込み口が設けられたことを特徴とする請求項１に記載のサイドオープンカートン。
【発明の詳細な説明】
【０００１】
【産業上の利用分野】
本発明は、シャンプー、食品などを封入した偏平状の個装袋、板状の菓子、フロッピーディスクなどの板状の内容物を収納し、この内容物を横から取り出すことができるサイドオープンカートンに関するものである。
【０００２】
【従来の技術】
従来、袋入りの食品、フロッピーディスクなどの板状の内容物を入れる容器としては、プラスチック成形品、金属缶が使用され、また、板紙を材料としたカートンも種々の形態のものが提案されて使用されている。
【０００３】
【発明が解決しようとする課題】
しかしながら、プラスチック成形品、金属缶は、廃棄の点で問題がある。また、従来の形状の板紙を使用したカートンは、一般的な形態のものが多く使用されているが、面白さが欠け、新規性が乏しく、新しい形態の内容物が取り出しやすいカートンが望まれている。
【０００４】
本発明は、前述の問題点に鑑みてなされたもので、シャンプー、食品などを封入した偏平状の個装袋、板状の菓子、フロッピーディスクなどの板状の内容物を収納するカートンであって、一つのブランクから組み立てることができ、横から容易に内容物を取り出すことができる新しい形態のサイドオープンカートンを提供することを目的とするものである。
【０００５】
【課題を解決するための手段】
前記課題を解決するためになされた本発明は、本体部と、該本体部に対して出し入れ可能に連接された引き出し部とを備えるカートンであって、前記本体部は、天パネルと、該天パネルに対向して設けられた底パネルと、互いに対向して設けられた２つの側パネルと、前記引き出し部に対向して設けられた裏パネルとから形成され、前記引き出し部は、前記底パネルに連接して設けられた正面パネルと、該正面パネルに対して連接するとともに内側に折り重ねられる正面内パネルと、該正面内パネルに連接して前記底パネルの内側に設けられた第一補助パネルと、該第一補助パネルに連接して前記裏パネルの内側に設けられた第二補助パネルと、前記側パネルと内側に互いに対向して設けられた２つの側内パネルと、該側内パネルに連接するとともに端縁に切り込みを有する底内片パネルとから形成され、該底内片パネルは、前記第一補助パネルの外面で切り込み同志により係止されており、前記本体部から前記引き出し部を引き出した際に、前記第二補助パネルの先端が前記天パネルに当接して係止されることを特徴とするサイドオープンカートンであり、前記正面パネルと前記正面内パネルとの折れ線上に差し込み片が設けられ、前記天パネルの前辺に補助片が設けられ、該補助片と前記天パネルとの折れ線上の一部に前記差し込み片が差し込まれる差し込み口が設けられたことを特徴として
いる。
【０００６】
本発明によれば、シャンプー、食品などを封入した偏平状の個装袋、板状の菓子、フロッピーディスクなどの板状の内容物を収納するカートンであって、一つのブランクから組み立てることができ、横から容易に内容物を取り出すことができる新しい形態のサイドオープンカートンを得ることが出来る。
【０００７】
【実施例】
以下図面に基づいて詳細に説明する。図１は、本発明によるサイドオープンカートンで引き出し部を引き出す前後を示す斜視図である。本発明のサイドオープンカートン１は、本体部１０と引き出し部２０とが一体となっており、本体部１０から引き出し部２０を引き出す前の外観上は、図１−ａに示すように、正面パネル２１、天パネル１１、側パネル１２、底パネル１３、側パネル１４、裏パネル１５とからなり、図１−ｂに示すように、正面パネル２１において、本体部１０から引き出し部２０を引き出すことができる形態となっている。
【０００８】
図２は、本発明によるサイドオープンカートン１のブランクを示す展開図である。ブランク１ａは、本体部１０のブランク１０ａの部分と引き出し部２０のブランク２０ａの部分が底パネル１３と正面パネル２１とで連結された形状となっている。
【０００９】
本体部１０のブランク１０ａの部分では、天パネル１１、側パネル１２、底パネル１３、側パネル１４、糊代片１４ａを折れ線ａ、ｂ、ｃ、ｄを介して順次連設し、天パネル１１の右辺には補助片１１ａを折れ線ｅを介して連設し、左辺には裏パネル１５を折れ線ｆを介して連設し、側パネル１２の左辺には折り込み片１６を折れ線ｇを介して連設し、側パネル１４の左辺には折り込み片１７を折れ線ｈを介して連設している。そして、裏パネル１５の左辺には差し込み片１５ａを折れ線ｉを介して連設している。
【００１０】
一方、引き出し部２０のブランク２０ａの部分では、正面パネル２１の右辺には正面内パネル２２を折れ線ｋを介して連設し、この正面内パネル２２の下辺には側内パネル２３を折れ線ｌを介して連設し、上辺には側内パネル２４を折れ線ｍを介して連設している。これらの側内パネル２３と側内パネル２４では、本体部１０から引き出し易いように、角部に丸みを付けた形状としている。また、側内パネル２３の右辺には底内片パネル２５ａを折れ線ｎを介して連設し、側内パネル２４の右辺には底内片パネル２５ｂを折れ線ｏを介して連設している。これらの底内片パネル２５ａと底内片パネル２５ｂとの先端部には互いに差し込んで連結して底内パネル２５を形成するための切り込み２５ａ´、２５ｂ´を設けている。
【００１１】
また、正面内パネル２２の右辺には第一補助パネル２６を折れ線ｐを介して連設し、その第一補助パネル２６の右辺には第二補助パネル２７を折れ線ｑを介して連設している。この第一補助パネル２６および第二補助パネル２７を設けることによって、本体部１０から引き出し部２０を引き出した時に、第二補助パネル２７が本体部１０の天パネル１１に突き当たりストッパーとなり、必要以上に引き出し部２０が本体部１０から引き出されることを防ぐことができる。そのためには、第一補助パネル２６は本体部１０の底パネル１３とほぼ同じ形状とするが、第二補助パネル２７は本体部１０の裏パネル１５より高さを低い形状とする。この第二補助パネル２７と裏パネル１５の高さの差の大小により、本体部１０から引き出す引き出し部２０の引き出し幅を調節することができる。つまり、差が大きい程引き出し幅を大きくすることができる。
【００１２】
この折れ線ｌ、ｍ、ｎ、ｏ、ｐ、ｑについては、一般的な打ち抜き工程で行う罫線でもよいが、反発力を小さくするために、ミシン罫などとしてもよい。
【００１３】
そして、本体部１０の底パネル１３と引き出し部２０の正面パネル２１とを連設することによって、本体部１０と引き出し部２０とが連結される。
【００１４】
また、引き出し部２０の正面内パネル２２には正面パネル２１との折れ線ｐから切り込みを入れ差し込み片Ｐを設けている。一方、天パネル１１と補助片１１ａとの折れ線ｅ上の中央部の一部には、切り込みによる差し込み口Ｑを設けている。さらに、その差し込み口Ｑの中央部の天パネル１１側に切り欠けＲを設け、差し込んだ差し込み片Ｐを引き出し易くしている。この差し込み片Ｐを差し込み口Ｑに差し込むことによって、引き出し部２０が本体部１０に内封することができると共に、開封後に再封を行うことができる。
【００１５】
図３は本発明によるサイドオープンカートン１を組み立てて、内容物を充填包装する工程の一例を示す説明図である。
【００１６】
まず、サイドオープンカートン１を組み立てるためのブランク１ａを打ち抜き工程で作製する。この時、折れ線ａ〜ｑ、切り込みによる差し込み片Ｐ、差し込み口Ｑ、切り欠けＲを同時に加工する。
【００１７】
つぎに、図３−ａに示すように、折れ線ｃで側パネル１４を底パネル１３側に折り曲げ、つぎに、天パネル１１を側パネル１２側に折り曲げると同時に天パネル１１と糊代片１４ａとを貼り合わせる。このことによって、図３−ｂに示すような本体部１０が折り畳まれた状態のサイドオープンカートン１を作製することができる。この状態で保管、輸送などが行われる。この工程は、一般的なカートンのサック貼り工程で行うことができる。
【００１８】
つぎに、図３−ｃに示すように、折り畳まれた状態のサイドオープンカートン１において、本体部１０を起こし、まず、折り込み片１６、１７を内側に折り曲げ、裏パネル１５をその上側に折り曲げ、そして、差し込み片１５ａを底パネル１３の内側に差し込んで本体部１０を組み立てる。
【００１９】
つづいて、引き出し部２０を組み立てるが、まず、図４−ａに示すように、第一補助パネル２６を折れ線ｐで外側に直角に折り曲げる。そして、底内片パネル２５ａを折れ線ｎで外側に直角に折り曲げ、底内片パネル２５ｂを折れ線ｏで外側に直角に折り曲げる。つぎに、底内パネル２３と底内パネル２４とをそれぞれ折れ線ｌと折れ線ｍで外側に直角に折り曲げ、同時に、底内片パネル２５ａと底内片パネル２５ｂの先端部に設けた切り込み２５ａ´と切り込み２５ｂ´とを互いに差し込み第一補助パネル２６の外側で連結して、図４−ｂに示すように、底内パネル２５を形成する。
【００２０】
さらに、第二補助パネル２７を折れ線ｑで外側に直角に折り曲げる。そして、図４−ｃに示すように、正面内パネル２２を折れ線ｋで正面パネル２１の内側に折り畳んで、正面内パネル２２の裏面と正面パネル２１の裏面とを貼り合わせる。この貼り合わせは、部分的に接着してもよい。
【００２１】
最後に、正面パネル２１を折れ線ｊで内側に折り曲げることによって、正面内パネル２２、側内パネル２３、側内パネル２４、底内パネル２５、第一補助パネル２６、第二補助パネル２７からなる引き出し部２０を本体部１０の中に折り込むことができる。
【００２２】
内容物の充填は、本体部１０から引き出し部２０を引き出し開口した状態で行う。内容物を充填した後、補助片１１ａを下側に折り曲げ、差し込み片Ｐを差し込み口Ｑに差し込むことによって、図１−ａに示すように、封がなされ内容物の充填包装が完了する。
【００２３】
実際に、本発明のサイドオープンカートン１を開封するには、図５−ａに示すように、正面パネル２１の差し込み片Ｐを差し込み口Ｑから引き出し、その差し込み片Ｐを摘んで引き出すことにより、引き出し部２０を引き出すことができる。ある一定の幅の引き出し部２０が引き出されると、引き出し部２０の第二補助パネル２７が本体部１０の天パネル１１に突き当たり、ストッパーの役目をし、その位置以上引き出すことができない状態で停止する。
【００２４】
内容物を取り出した後、引き出し口２０を本体部１０内に挿入し、差し込み片Ｐを差し込み口Ｑに差し込むことによって、再封することができる。
【００２５】
【発明の効果】
以上説明したように、本発明によるサイドオープンカートンは、シャンプー、食品などを封入した偏平状の個装袋、板状の菓子、フロッピーディスクなどの板状の内容物を収納するカートンであって、一つのブランクから組み立てることができ、横から容易に内容物を取り出すことができる新しい形態のサイドオープンカートンである。また、ある一定の幅以上に引き出し部が引き出されないような係止機構を有するサイドオープンカートンである。
【図面の簡単な説明】
【図１】本発明によるサイドオープンカートンの一実施例の引き出し部を引き出す前後を示す斜視図である。
【図２】本発明によるサイドオープンカートンの一実施例のブランクの展開図である。
【図３】本発明によるサイドオープンカートンの一実施例の本体部の組立工程を示す図である。
【図４】本発明によるサイドオープンカートンの一実施例の引き出し部の組立工程を示す図である。
【図５】本発明によるサイドオープンカートンの一実施例の開封を説明する図である。
【符号の説明】
１      サイドオープンカートン（第一の実施の形態）
１ａ    ブランク
１０      本体部
１０ａ    ブランク（本体部）
１１      天パネル
１２      側パネル
１３      底パネル
１４      側パネル
１４ａ    糊代片
１５      裏パネル
１５ａ    差し込み片
１６      折り込み片
１７      折り込み片
２０      引き出し部
２０ａ    ブランク（引き出し部）
２１      正面パネル
２２      正面内パネル
２３      側内パネル
２４      側内パネル
２５      底内パネル
２５ａ    底内片パネル
２５ａ´  切り込み
２５ｂ    底内片パネル
２５ｂ´  切り込み
２６      第一補助パネル
２７      第二補助パネル
Ｐ      差し込み片
Ｑ      差し込み口
Ｒ      切り欠け
ａ〜ｑ    折れ線
【図１】
0004156189.tif 000002
【図２】
0004156189.tif 000003
【図３】
0004156189.tif 000004
【図４】
0004156189.tif 000005
【図５】
0004156189.tif 000006